【手続補正書】
【提出日】平成20年2月19日(2008.2.19)
【手続補正１】
【補正対象書類名】明細書
【補正対象項目名】全文
【補正方法】変更
【補正の内容】
【書類名】  明細書
【発明の名称】デジタルカメラ用外付けストロボの光量制御方法及び装置
【特許請求の範囲】
【請求項１】  内蔵ストロボでプレ発光と本発光を行う方式のデジタルカメ
ラに使用される外付けストロボの光量制御方法において、内蔵ストロボのプレ発
光をトリガーとして外付けストロボをプレ発光させる発光手段を有し、この外付
けストロボのプレ発光時の動作を、外付けストロボの本発光に差し支えないよう
に、メインコンデンサに本発光時のための電力を残して行なわれるように制御す
ることを特徴とするデジタルカメラ用外付けストロボの光量制御方法。
【請求項２】  内蔵ストロボでプレ発光と本発光を行う方式のデジタルカメ
ラに使用される外付けストロボの光量制御装置において、外付けストロボはＤＣ
−ＤＣコンバータ、メインコンデンサ、電圧検出・レディ回路、トリガー回路、
放電管、ゲート電圧発生回路、発光制御回路、プレ発光用信号回路、光検出用セ
ンサー回路に加えて、内蔵ストロボのプレ発光を検出するセンサー手段と、内蔵
ストロボのプレ発光をトリガーとして外付けストロボを発光させる発光手段及び
プレ発光用信号発生手段を有しており、この外付けストロボのプレ発光時の動作
を、外付けストロボの本発光に差し支えないように、メインコンデンサに本発光
時のための電力を残して行なわれるように制御することを特徴とするデジタルカ
メラ用外付けストロボの光量制御装置。
【請求項３】  内蔵ストロボでプレ発光と本発光を行う方式のデジタルカメ
ラに使用される外付けストロボの光量制御装置において、外付けストロボはＤＣ
−ＤＣコンバータ、第１メインコンデンサ、第２メインコンデンサ、電圧検出・
レディ回路、トリガー回路、放電管、ゲート電圧発生回路、発光制御回路、光検
出用センサー回路に加えて、内蔵ストロボのプレ発光を検出するセンサー手段と
、内蔵ストロボのプレ発光をトリガーとして外付けストロボを発光させる発光手
段を有しており、第２メインコンデンサに接続されている放電管によって外付け
ストロボのプレ発光を行ない、第１メインコンデンサに接続されている放電管に
よって外付けストロボの本発光を行ない、所定光量にて外付けストロボの本発光
が停止するように制御することを特徴とするデジタルカメラ用外付けストロボの
光量制御装置。
【請求項４】  外付けストロボを発光させる発光手段にはプレ発光用信号発
生手段が含まれ、このプレ発光用信号発生手段には発光停止手段を含んでおり、
該発光停止手段は、(1)微分信号を利用する、(2)積分信号を利用する、(3)タイ
マー回路を利用する、(4)内蔵ストロボのプレ発光時の発光停止信号を利用する、
のいずれか一つまたは二以上の組み合わせによって、発光停止信号を生成する
ことを特徴とする請求項１に記載したデジタルカメラ用外付けストロボの光量制
御方法。
【請求項５】  プレ発光用信号発生手段には発光停止手段を含んでおり、該
発光停止手段は、(1)微分信号を利用する、(2)積分信号を利用する、(3)タイマ
ー回路を利用する、(4)内蔵ストロボのプレ発光時の発光停止信号を利用する、
のいずれか一つまたは二以上の組み合わせによって、発光停止信号を生成する
ことを特徴とする請求項２又は請求項３に記載したデジタルカメラ用外付けスト
ロボの光量制御装置。
【請求項６】  オート発光停止信号発生回路を有することを特徴とする請求
項１又は請求項４に記載したデジタルカメラ用外付けストロボの光量制御方法。
【請求項７】  オート発光停止信号発生回路を有することを特徴とする請求
項２、請求項３又は請求項５に記載したデジタルカメラ用外付けストロボの光量
制御装置。
【請求項８】  プレ発光時に作用するインヒビット回路を設けたことを特徴
とする請求項２、請求項３、請求項５又は請求項７に記載したデジタルカメラ用
外付けストロボの光量制御装置。
【請求項９】  プレ発光時の光量を調節するための切り替え回路を設けたこ
とを特徴とする請求項２、請求項３、請求項５、請求項７又は請求項８に記載し
たデジタルカメラ用外付けストロボの光量制御装置。
【発明の詳細な説明】
【０００１】
【発明の属する技術分野】  本発明は、ストロボが内蔵されたデジタルカメ
ラに使用される外付けストロボの発光制御技術の改良に関する。
【０００２】
【従来の技術】  水中撮影にデジタルカメラ（以下、単にカメラと称する場
合もあり）を使用する場合は、図１に示すようにデジタルカメラ１を防水カメラ
ハウジング４に入れて使用する。
水中では陸上に比べて暗い場所が多いため、陸上撮影よりもストロボ光が必要
になる。その場合、カメラ１の内蔵ストロボ２を使用すると、内蔵ストロボ２の
発光部がカメラ１のレンズ３から近い部位に配置されているため、水中に浮遊す
るゴミが反射して白く強く写ってしまう現象（マリンスノー現象）を起こしたり
、また、外径の大きい外付けワイドコンバージョンレンズを防水カメラハウジン
グ４の前方外枠７に装着したとき、このコンバージョンレンズによって内蔵スト
ロボ２の光が遮られ、被写体に暗い部分が出来るために良質の写真が撮れなくな
る。
【０００３】
このような問題を解決するために外付けストロボ９が使用されており、外付け
ストロボ９は防水カメラハウジング４に取り付けられる。そして、内蔵ストロボ
２の光が被写体に当たってマリンスノー現象が起きるのを避けるために、防水カ
メラハウジング４の拡散板５の前面に黒い遮光板６やテープその他の同等品を貼
って遮光している。
水中では、被写体までの距離が遠く内蔵ストロボ２では光量不足の場合にも外
付けストロボ９が使用されている。
また、陸上では、水中と同様に内蔵ストロボでは光量不足のときは一般の外付
けストロボを使用し、影を無くす撮影をしたいときは外付けのリングストロボを
使用している。なお、陸上で使用する場合、防水カメラハウジング４は水滴の多
い場所以外では不要である。
【０００４】
外付けストロボ９は内蔵ストロボ２に同調発光させる必要があるが、シンクロ
コードと称される電気コードを用いないでこれを行う簡単な方法として、内蔵ス
トロボ2の光を外付けストロボ９の光検出用センサー１０で検出して同調発光さ
せる方法がある。
通常は、内蔵ストロボ２の光は光検出センサー１０に充分に届くので、光伝達
手段を特に講じなくても良いのであるが、内蔵ストロボ２の発光部から外付けス
トロボ９までの距離が遠い場合や外乱的要因がある場合には、図１に示したよう
に内蔵ストロボ２の発光部と光検出センサー１０の間を光ファイバー８で接続す
れば、内蔵ストロボ２の光は光検出センサー１０に確実に伝達される。
【０００５】
デジタルカメラの内蔵ストロボの発光制御方法としては、カメラの仕様により
下記(1)(2)の2方式があるが、外付けストロボには、２方式のどちらにも対応し
てシャッターが切れる時に同調発光する兼用型のものと、どちらか一方の方式の
みに対応した専用型のものとがある。
(1)  シャッターが切れる直前に弱いプレ発光（予備発光）をし、カメラのセ
ンサーがレンズを通してその反射光を測定して本発光の光量を決定し、次
にシャッターが切れる時(X接点で発光)に前記決定された光量で本発光す
る方式。
(2)  シャッターが切れる時、通常のX接点と同調して一回だけ発光し、カメ
ラのセンサーで被写体からの反射光を検出し、その信号を積分して適正光
量になった時に発光を停止する方式。
これは従来の外付けオートストロボと同じ方法である。(1)(2)の方式のいずれ
も公知であり従来から使用されている。現在のデジタルカメラは、制御のやり易
さから、(1)の方式を採用したものが圧倒的に多くなっている。
本発明の光量制御方法と装置は、(1)の方式によるデジタルカメラの内蔵スト
ロボに外付けストロボを同調発光させるときのものである。
【０００６】
上記(1)の方式のデジタルカメラに対策無しのオートストロボかマニュアルス
トロボを外付けした場合の動作を図１及び図2により説明すると、デジタルカメ
ラ１のシャッター動作は図２の（Ａ）に示したようになり、内蔵ストロボ２の発
光動作は図２（Ｂ）に示したようになる。
外付けストロボ９をカメラのシャッター動作（Ｘ接点）に同調発光させるに当
たり、カメラのシャッターが切れる直前に光る内蔵ストロボ２の弱いプレ発光、
すなわち図２の（Ｂ）の発光１１が外付けストロボ９の光検出センサー１０に導
かれ、これによって外付けストロボ９がトリガーされるのであるが、このとき外
付けストロボが通常の大きい光量にて発光してしまう。
【０００７】
このように内蔵ストロボのプレ発光時に外付けストロボが通常の大きい光量で
発光したときには、発光用エネルギーの残量がなくなってしまい、次のカメラの
シャッター動作（Ｘ接点）時に外付けストロボが同調発光（以下、本発光という
。)するとき、不充分な光量で発光したり、全く発光しなくなってしまう。この
ような現象は、特にカメラから被写体までの距離が遠い場合に多く起こる。
【０００８】
そこで従来技術では、内蔵ストロボのプレ発光時には外付けストロボは発光せ
ず、内蔵ストロボの本発光時にのみ外付けストロボが同調発光するようにしてい
る。そのための回路はプレ発光キャンセル回路という。図２の（Ｃ）は外付けス
トロボの発光曲線を示し、同調発光１３はタイミングＴ１にて発光開始し、タイ
ミングＴ２で適正光量となって発光停止する。点線はフル発光時を示す。
この従来技術では、図１に基づいて述べたように防水カメラハウジング４の拡
散板５の前に黒い遮光テープ６等を貼って遮光する。そのため、内蔵ストロボ２
の光は被写体に当たらず反射光も来ない。また、防水カメラハウジング４の外枠
７にリングストロボやコンバージョンレンズその他の外径の大きな部品を取り付
けたときにも、内蔵ストロボの光が遮蔽されてしまい、上記と同様な結果となる
。
従来技術においては、内蔵ストロボよりプレ発光した光が被写体に当たって、
被写体からの反射光が来ない(カメラのレンズに入射しない)か、反射光量が通常
より少ない場合には、カメラは被写体が遠距離に存在するものと判断し、内蔵ス
トロボの本発光は、ほとんどがフル発光になってしまう。この内蔵ストロボのプ
レ発光と本発光の様子を図２の（Ｂ）に示す。
【０００９】
図２の（Ｂ）において、プレ発光１１の約１００ｍＳ（ミリセカンド）後に本
発光を行う。図面では分かりやすくするために１００ｍＳ部分は水平軸の尺度を
縮めてある。尚、内蔵ストロボの閃光時間は周知のようにフル発光で３ｍＳ位で
ある。
次の２回目の本発光では、上記のようにフル発光となり、この様子を波形１２
ａに示す。このようにフル発光になってしまうと、次の撮影のためには内蔵スト
ロボ２のコンデンサに充電しなくてはならない。この充電時間が一般のカメラで
は７秒から８秒かかるため、その間はデジタルカメラのシャッターはロックされ
、次の撮影ができなくなる。
これと同時にカメラの電池は、内蔵ストロボの充電のために消耗されるので、
フル発光が多くなるほど同じ電池での撮影枚数が減って電池の寿命が短くなって
しまう。
【００１０】
また、撮影データの演算時間とメモリーに書き込む時間も必要であるが、内蔵
ストロボのコンデンサに充電中、初めのうち電池の電圧が下がっている間は演算
及び書き込みができない仕様のカメラもあり、さらに次の撮影まで時間がかかる
。この状態も追加され、その間、撮影が出来ないためシャッターチャンスを失う
原因になる。
通常のカメラ単体での撮影の場合、約０．５ｍから３ｍの距離であれば，内蔵
ストロボの本発光は、図２の（Ｂ）に点線波形１２ｂで示すようにフル発光とは
ならず、途中で発光を停止するので、少ない光量となる。そのため、充電時間を
必要とせずに直ちに次の撮影に移ることができて、シャッターチャンスを逃がす
ことがなく、カメラの電池の消耗速度も遅くなる。
【００１１】
【発明が解決しようとする課題】  本発明はこのような従来技術に鑑みてな
されたものであり、本発明の目的は、内蔵ストロボの本発光の光量を少なくして
次の撮影までの待ち時間を短縮し、カメラの電池の寿命を長くできるとともに、
外付けストロボのプレ発光と本発光の光量を適正に制御して品質の高い撮影を行
える、デジタルカメラ用外付けストロボの光量制御方法及び装置を提供すること
である。
【００１２】
【課題を解決するための手段】  前記課題を解決するためになされた請求項
１の発明は、内蔵ストロボでプレ発光と本発光を行う方式のデジタルカメラに使
用される外付けストロボの光量制御方法において、内蔵ストロボのプレ発光をト
リガーとして外付けストロボをプレ発光させる発光手段を有し、この外付けスト
ロボのプレ発光時の動作を、外付けストロボの本発光に差し支えないように、メ
インコンデンサに本発光時のための電力を残して行なわれるように制御すること
を特徴とする。
【００１３】
請求項２の発明は、内蔵ストロボでプレ発光と本発光を行う方式のデジタルカ
メラに使用される外付けストロボの光量制御装置において、外付けストロボはＤ
Ｃ−ＤＣコンバータ、メインコンデンサ、電圧検出・レディ回路、トリガー回路
、放電管、ゲート電圧発生回路、発光制御回路、プレ発光用信号回路、光検出用
センサー回路に加えて、内蔵ストロボのプレ発光を検出するセンサー手段と、内
蔵ストロボのプレ発光をトリガーとして外付けストロボを発光させる発光手段及
びプレ発光用信号発生手段を有しており、この外付けストロボのプレ発光時の動
作を、外付けストロボの本発光に差し支えないように、メインコンデンサに本発
光時のための電力を残して行なわれるように制御することを特徴とする。
【００１４】
請求項３の発明は、内蔵ストロボでプレ発光と本発光を行う方式のデジタルカ
メラに使用される外付けストロボの光量制御装置において、外付けストロボはＤ
Ｃ−ＤＣコンバータ、第１メインコンデンサ、第２メインコンデンサ、電圧検出
・レディ回路、トリガー回路、放電管、ゲート電圧発生回路、発光制御回路、光
検出用センサー回路に加えて、内蔵ストロボのプレ発光を検出するセンサー手段
と、内蔵ストロボのプレ発光をトリガーとして外付けストロボを発光させる発光
手段を有しており、第２メインコンデンサに接続されている放電管によって外付
けストロボのプレ発光を行ない、第１メインコンデンサに接続されている放電管
によって外付けストロボの本発光を行ない、所定光量にて外付けストロボの本発
光が停止するように制御することを特徴とする。
【００１５】
請求項４の光量制御方法の発明は、請求項１の発明の前記構成に加えて、外付
けストロボを発光させる発光手段にはプレ発光用信号発生手段が含まれ、このプ
プレ発光用信号発生手段には発光停止手段を含んでおり、該発光停止手段は、
(1)微分信号を利用する、(2)積分信号を利用する、(3)タイマー回路を利用する、
(4)内蔵ストロボのプレ発光時の発光停止信号を利用する、
のいずれか一つまたは二以上の組み合わせによって、発光停止信号を生成する
ことを特徴とする。
【００１６】
請求項５の光量制御装置の発明は、請求項２又は請求項３の発明の前記構成に
加えて、プレ発光用信号発生手段には発光停止手段を含んでおり、該発光停止手
段は、(1)微分信号を利用する、(2)積分信号を利用する、(3)タイマー回路を利
用する、(4)内蔵ストロボのプレ発光時の発光停止信号を利用する、
のいずれか一つまたは二以上の組み合わせによって、発光停止信号を生成する
ことを特徴とする。
【００１７】
請求項６の光量制御方法の発明は、請求項１又は請求項４の発明の前記構成に
加えて、オート発光停止信号発生回路を有することを特徴とする。
請求項７の光量制御装置の発明は、請求項２、請求項３又は請求項５の発明の
前記構成に加えて、オート発光停止信号発生回路を有することを特徴とする。
請求項８の光量制御装置の発明は、請求項２、請求項３、請求項５又は請求項
７の発明の前記構成に加えて、プレ発光時に作用するインヒビット回路を設けた
ことを特徴とする。
請求項９の光量制御装置の発明は、請求項２、請求項３、請求項５、請求項７
又は請求項８の発明の前記構成に加えて、プレ発光時の光量を調節するための切
り替え回路を設けたことを特徴とする。
【００１８】
【発明の作用】  本発明方法及び装置が適用されるデジタルカメラと外付け
ストロボのセットアップの具体例は、従来技術の説明に関連して示した図１のも
のと、外観的には基本的構成は同じである。
図１に示したようにデジタルカメラ１はプレ発光及び本発光するストロボ２を
内蔵しており、このデジタルカメラ１は防水カメラハウジング４に格納され、防
水カメラハウジング４には外付けストロボ９が取り付けられている。前記内蔵ス
トロボ２の発光部が対面する防水カメラハウジング４の拡散板５の前面には、黒
い遮光板６が貼られており、内蔵ストロボ２の光が被写体に向かわないようにな
っている。なお、陸上で使用する場合、防水カメラハウジング４は水滴の多い場
所以外では不要である。
内蔵ストロボ２の光を外付けストロボ９の光検出用センサー１０に伝達させる
ために、必要に応じて内蔵ストロボ２の発光部と光検出センサー１０の間は光フ
ァイバー８で接続される。
【００１９】
図２において、（Ｄ）はデジタルカメラ１の内蔵ストロボ２の発光曲線を示し
、（Ｅ）は外付けストロボ９の発光曲線を示す。
カメラ１の内蔵ストロボ２は、シャッターが切れる直前にプレ発光動作１４す
る。外付けストロボ９は、内蔵ストロボ２のプレ発光の光を光検出センサー１０
で受け、その検出信号をトリガーとしてプレ発光動作１４する。この外付けスト
ロボ９のプレ発光動作は、フル発光とならないように外付けストロボ９に内蔵さ
れている所要の制御回路で制御して行なわれる。
内蔵ストロボ２のプレ発光の開始タイミングをＴ３、停止タイミングをＴ４と
すると、外付けストロボCのプレ発光の開始タイミングはＴ７であり、Ｔ３と同
時かほぼ同時となる。外付けストロボ９のプレ発光の停止タイミングＴ８は、内
蔵ストロボ２のプレ発光の停止タイミングＴ４と同じにする必要はない。外付け
ストロボ９の本発光に差し支えることがない程度、すなわち外付けストロボ９の
本発光を適正光量で実行するのに必要十分な量の電力（電気量）が、そのメイン
コンデンサーに残されるようにプレ発光の停止タイミングＴ８が調整される。
【００２０】
この外付けストロボ９のプレ発光の光量を、内蔵ストロボ２のプレ発光の光量
より多くすれば、被写体からの反射光が多くなってより効果的であるが、内蔵ス
トロボ２のプレ発光の光量と同等であっても効果はある。
次にデジタルカメラ１の内蔵ストロボ２が本発光する場合について説明すると
、前記の遮光措置が講じられているため、内蔵ストロボ２のプレ発光時には被写
体からの反射光は、カメラ１のレンズ３にほとんど返って来ないが、外付けスト
ロボ９のプレ発光時の光は、被写体に当たって返って来る（撮影距離により違い
があるが、図２の波形説明は０．５ｍから２ｍ位を前提としている）。そのため
、デジタルカメラ１は、その入射光に基づいて被写体が近距離にあるものと判断
して、内蔵ストロボ２の本発光は、発光波形１５のように弱い光量となる。すな
わち、タイミングＴ５で発光を開始して、タイミングＴ６で発光を停止する。
【００２１】
このようにデジタルカメラ１側に関して言えば、内蔵ストロボ２の本発光は弱
い光になり、そのコンデンサに電力が残るため、次の撮影のための充電時間が短
くなり、次の撮影までの待ち時間が短縮される。前記発光波形１５のピークから
の点線で示された波形は、外付けストロボ９がプレ発光しなかった場合に、被写
体からの反射光がないために、被写体が遠距離にあるものとカメラ１が判断して
、内蔵ストロボ２がフル発光で本発光することを意味している。
外付けストロボ９は、内蔵ストロボ２の本発光と同時かほぼ同時に波形１７の
ように本発光し、発光開始はタイミングＴ１、発光停止はタイミングＴ２となる
。
外付けストロボ９の光量制御回路は通常、オート回路になっており、適正光量
になると発光を停止する。光量のレベルは、あらかじめデジタルカメラＡの絞り
に合わせセットしておく。
外付けストロボ９は、マニュアル発光の場合でも撮影距離に応じて適正な光量
に調整すれば実用可能である。また、外付けストロボ９の電源はデジタルカメラ
１とは別電源であるため、その電源電池の容量や電源回路の選択によって充電時
間を独自に速くすることができ、仮に本発光がフル発光の場合でも、次の撮影の
ための待ち時間は２秒から３秒になり、シャッターチャンスを逃すことはない。
【００２２】
【発明の実施の形態】  次に本発明の実施形態について図面に沿って説明す
る。図３はデジタルカメラ１に装着された外付けストロボ９の回路構成を示すブ
ロック図である（一部実際の回路図を含む）。
通称オートストロボと呼ばれているこの外付けストロボの回路構成と動作は公
知のものと同様であるので、以下に簡単に説明する。
電池１８の電力を、整流ダイオード２１を含むＤＣ−ＤＣコンバータ２０で最
大約３３０Ｖの高圧に変換してメインコンデンサ２２に充電する。メインコンデ
ンサ２２の電圧が徐々に上昇し所定の電圧、例えば２６０Ｖ位になると、電圧検
出・レディ回路２３に内蔵するネオン管が点灯して、外付けストロボを使用する
準備が整ったことを表示する。普通、この表示用ネオン管をレディライトまたは
レディランプと呼ぶ。
このようにメインコンデンサの電圧が所定電圧に到達して外付けストロボがレ
ディ状態になったことを検出表示する方法としては、前記電圧検出・レディ回路
２３に限定されず、ＤＣ−ＤＣコンバータ回路の電圧を検出する方法もあり、ま
た、ネオン管のかわりに発光ダイオードを使用することもある。
その後、トリガー回路２４に接続されているトランジスタ３７がＯＮになると
、トリガー回路２４がＯＮになり、トリガーコイルから約３０００Vの高圧パル
スが発生して放電管２６に印加される。
【００２３】
外部から制御する場合は、Ｘ接点用端子２５を使用する。本発明の場合であっ
ても、内蔵ストロボのプレ発光と同調するためには、内蔵ストロボの光を検出す
る必要があるが、本発光の信号はＸ接点から公知の方法によるリード線で接続す
るか、または、この信号を公知の方法で光に変換し、前記のように光ファイバー
で外付けストロボに接続することもできる。これは一般のデジタルカメラであっ
ても、Ｘ接点だけは付いている場合が多いからである。
その後、放電管２６は発光を開始する。その時点では発光制御用のＩＧＢＴ素
子２７はＯＮしている。また、トリガー回路２４の動作と同期してトリガー回路
２４から制御信号が出てゲート電圧発生回路１９に印加され、この信号と同期し
てゲート電圧発生回路１９からゲート電圧が発生する。上記制御信号またはゲー
ト電圧を取る方法は、この公知のゲート信号発生回路１９による方法に限定され
ず、放電管回路から取る方法もある。
このゲート電圧の発生によりオート側発光制御回路２８またはマニュアル側発
光制御回路３０が動作する。
【００２４】
ゲート電圧発生回路１９は外付けストロボの動作のタイミングを合わせるため
の信号を生成する回路である。切り替えスイッチ２９がオートになっている場合
、前記のように放電管２６が発光した時、オート発光停止信号発生回路４３が動
作する。
この動作は、フォトトランジスタよりなるセンサー４４が被写体からの反射光
を受けて電気信号に変換し、その電気量を積分コンデンサ４５に充電する。積分
コンデンサ４５はコンパレータ４７に接続されており、積分コンデンサ４５の電
圧があらかじめ決められた電圧（抵抗４６で分割された比較電圧）になると、適
正露出になったことになり、コンパレータ４７から信号が発生し、その信号がオ
ート側発光制御回路２８に印加され、オート側発光制御回路２８から発光停止信
号が出て、発光制御回路の一部であるＩＧＢＴ素子２７に加わり、ＩＧＢＴ素子
２７はOFFになって放電管２６は発光を停止する。
【００２５】
外部からの制御端子４８は、オート／マニュアル発光停止信号発生回路または
その同等回路が外部にある場合に使用する。カメラからの発光停止制御信号を入
力する場合にも使用する。
切り替えスイッチ２９をマニュアル側に切り替えた時は、前記ゲート電圧発生
回路１９からのゲート電圧が抵抗を介して積分コンデンサ３１ａに印加され、こ
の電圧があらかじめ決められた適正値になったとき、マニュアル側発光制御回路
３０がONし、発光停止信号をＩＧＢＴ素子２７に印加して、前記と同様に放電
管２６は発光を停止する。
【００２６】
次に本発明の各手段の構成及び動作を図３と図４を用いて説明する。
本発明の外付けストロボ９は、デジタルカメラ１の内蔵ストロボ２のプレ発光
をトリガーとして発光するため、内蔵ストロボ２の光を検出する光検出用センサ
ー１０を含む光検出用回路と、その信号を選別する回路を含む第１プレ発光用信
号回路３９及び第２プレ発光用信号回路３３から成るプレ発光用信号発生手段が
必要である。
また、プレ発光用信号発生手段は、プレ発光時の光量制御の動作をして発光停
止信号を発生する。
まず、デジタルカメラ１のシャッターボタンを押すと、内蔵ストロボ２は最初
プレ発光して図４の（Ａ）の波形４９に示すように少ない光量で発光する。次に
外付けストロボ９の下記に示す発光手段の回路が動作する。
【００２７】
図１に示したような接続により、まずフォトトランジスタ３４または同等品か
らなる光検出用センサー１０で内蔵ストロボ２の光を検出し、その信号は直流分
カットコンデンサ３５を介してタイマー回路３６とトランジスタ３７に印加され
る。
このフォトトランジスタ３４からなる光検出センサー１０または光検出センサ
ー１０に近傍の回路は、外付けストロボ９に内蔵されていない別部品であっても
動作可能であり、そのような構成であっても本発明の範囲に属するものである。
例えば、この光検出センサー及び周辺回路をカメラ１の内蔵ストロボ２の近く
に置いて、そこからリード線で外付けストロボに接続してもよい。または、その
信号を光信号に変換して光ファイバーで接続することも可能である。
フォトトランジスタ３４の検出信号が印加されたトランジスタ３７の出力信号
は、図４の（B）の波形５１に示すようになり、前記のようにトリガー回路２４
が動作して放電管２６が発光を開始する。
【００２８】
次に図３に示す第１プレ発光用信号回路３９について説明する。
第１プレ発光用信号回路３９に含まれるタイマー回路３６は、内蔵ストロボの
２回光る時の信号の内、最初のプレ発光のみを検出するために設けたものであり
、この方法は一番回路構成が簡単になる。このタイマー回路３６は請求項４及び
請求項５の発明におけるタイマー回路とは別のものである。
本発明に記載した時間を設定するための回路は一例であり、すなわち積分回路
、微分回路、タイマー回路については、それらを使用しなくても公知のワンショ
ットマルチ回路またはラッチ回路その他の同等回路、デジタル化した同等回路を
使用して、積分回路、微分回路あるいはタイマー回路と同等な動作をさせれば代
用可能である。すなわち、本発明の時間を設定するための回路は、同等の作用、
動作をするものを含むものである。
デジタル化した方法の場合、例えばカウンター４２(例えば１０進)を使用して
初めのプレ発光の信号を取り出しても良い。尚、波形修正回路４１は必要に応じ
て入れる。
さらに、コストは高くなるが図４に示すタイミングでプログラムすればマイコ
ンで制御することも可能であり、デジタル式のタイマー機能等、同等機能を利用
することができる。この場合は他の制御回路もまとめて制御できる。
【００２９】
次に、このタイマー３６に直流分カットコンデンサ３５からの信号が印加され
ると、図４の（Ｃ）のようにタイマーがONする。
このタイマー３６は約２００mS（ミリセカンド）以上ONしているので、内蔵
ストロボの２回目の発光には影響されなくなり、図４に示すようにプレ発光時だ
け動作するための信号を作る。この信号により第１プレ発光用信号回路３９と第
２プレ発光用信号回路３３はプレ発光時だけ動作することになる。
このタイマー３６の出力信号を図４の(C)のタイミングＴ９の位置から微分回
路３８で微分すると、図４の（Ｄ）に示す波形になり、その信号がトランジスタ
４０に印加されるとトランジスタ４０のコレクタ端子は図４の（Ｅ）のようにな
る。
微分回路３８の定数を変えることにより信号の幅を変えることができ、最終的
に外付けストロボの１回目の発光量をコントロールすることも可能である。
【００３０】
図３及び図４で説明すると、図４の（Ｄ）の波形５３は基準容量の場合の波形
であり、波形５４は波形５３よりも容量を増やした場合を示す。また、それに対
応したトランジスタ４０の波形が図４の（Ｅ）の波形５５、波形５６であり、さ
らにこれに対応した光量は図４の（Ｆ）の光量波形５７ａ、光量波形５７ｂに示
すものとなる。
このように容量を可変することによりプレ発光の光量が増減でき、撮影状況に
応じ最適な値に調節することができる。
これに対応した回路は図３の微分コンデンサ３８ａと３８ｂを含むものであり
、微分コンデンサ３８ａに微分コンデンサ３８ｂを追加することで容量が増加す
る。この場合、コンデンサを複数設けて、切り替えスイッチＳＷ１を付けておけ
ば、撮影状況に応じて随時切り替えて使用することができる。
上記の場合は微分コンデンサの容量を可変する実例を記したが、微分回路に付
属する抵抗を可変しても、また、トランジスタ４０のベース抵抗を可変しても同
様の結果となる。
【００３１】
トランジスタ４０は第２プレ発光用信号回路３３に接続してあり、上記信号が
印加される。
この第２プレ発光用信号回路３３は下記(1)(2)(3)のように必要に応じて動作
が異なる場合があるが、どれも発光停止手段の一部として動作する。
この動作は、所定値になった時、発光停止信号を発生し、該信号を発光制御回
路の一部であるＩＧＢＴ素子２７に印加する。ＩＧＢＴ素子２７はOFFに成り、
放電管２６が発光を停止する。
【００３２】
(1)  外付けストロボのプレ発光時の閃光時間を内蔵ストロボに比べかなり長く
したい場合。
第２プレ発光用信号回路３３にタイマー回路または同等回路を追加してON時
間（動作時間）を延ばした後に積分回路３１に接続する。この理由は、第２プレ
発光用信号回路３３が積分回路に電力を供給する時間を長くしないと、積分値が
所定の値にならないうちに第２プレ発光用信号回路３３がOFFしてしまうためで
ある。図３では積分回路３１はマニュアル側発光制御回路３０のものを一部共通
に使用しているが、別の同等回路を設けることも可能である。
第２プレ発光用信号回路３３のONにより積分コンデンサ３１ａの値が所定値
になると、マニュアル側発光制御回路３０が動作して発光停止信号を出し、放電
管２６は発光を停止する。
外付けストロボ９のプレ発光時の閃光時間を調節したい場合は、積分回路３１
の異なったC /
R時定数を複数設けておき、前記と同様に切り替えスイッチＳＷ
２により、撮影状況に応じて切り替えて使用することができる。例として抵抗で
切り替える場合は、抵抗３１ｂと抵抗３１ｃを切り替える。容量で切替える場合
は、コンデンサ３１ａに追加する。
積分回路３１はマニュアル側発光制御回路３０と組み合わされた回路としては
タイマー回路と同等になるので、この部分は請求項４及び請求項５の発明におけ
るタイマー回路といえる。特にデジタル化した場合、この部分はデジタル式タイ
マー回路または前記にある同等回路となる。
【００３３】
(2)  外付けストロボのプレ発光時の閃光時間を内蔵ストロボに比べ同等か少し
長い位にしたい時。
第２プレ発光用信号回路３３は単にバッファ回路のみとして積分回路３１に接
続する。この場合、第２プレ発光用信号回路３３のＯＮ時間は図４の（Ｅ）の波
形５５から波形５６となる。
積分コンデンサ３１ａの値が所定値になるまでの時間を第２プレ発光用信号回
路３３のＯＮ時間以内に設定しておけば動作可能である。その後は上記(1)と同
様に動作する。
【００３４】
(3)  外付けストロボのプレ発光時の閃光時間を微分回路３８とトランジスタ４
０の動作のみで調整する場合。
第２プレ発光用信号回路３３は単にバッファ回路のみとして点線３２に示すよ
うに積分回路３１を通さずにマニュアル側発光制御回路３０の一部に直接接続す
る。
この場合の放電管２６の発光停止のタイミングは図４の（Ｅ）の５５から５６
に示すものとなり、発光停止信号が第２プレ発光用信号回路３３からＩＧＢＴ素
子２７に印加され、放電管２６は発光を停止する。
図で説明すると、放電管２６は図４の（Ｆ）のＴ１０で発光を開始し、図４の
（Ｅ）の５５に対応する５７ａ(Ｔ１１ａ)または図４の（Ｅ）の５６に対応する
５７ｂ（Ｔ１１ｂ）で発光を停止する。
【００３５】
上記(1)(2)(3)のプレ発光時の動作は、前記した説明及び図４に示した通り、
本発光時に差し支えないようにメインコンデンサ２２に本発光時のための電力
（電気量）を残して発光するように光量制御して行われる。特に遠距離撮影の場
合とか、レンズの絞りを絞った時は、本発光の方がプレ発光より大きい光量が必
要となる。
さらに明細に説明すると、外付けストロボ９の放電管２６の発光にはメインコ
ンデンサ２２の電力(電気量)を専ら使用するのであるが、プレ発光の時にフル発
光に近い動作をした場合には、2回目の本発光の時にメインコンデンサ２２の電
力（電気量）が足りなくなり、露出不足の光量になるか、発光しなくなる。
【００３６】
上記(1)(2)(3)の動作が終わると、約１００ｍＳ後にデジタルカメラ１の内蔵
ストロボ２は本発光（２回目の発光)を行う。
この場合、前記した通り内蔵ストロボ２のプレ発光の光は、遮光されているた
めカメラ１のレンズ３に入射しないが、外付けストロボ９のプレ発光の光（図４
の（Ｆ）の５７ａから５７ｂ）は、被写体から反射してカメラ１のレンズ３に入
射している（例えば被写体までの距離は０．５ｍから２ｍとする）。
そのため、デジタルカメラ１は被写体までの距離を近距離と判断しており、内
蔵ストロボ２の本発光は、図４の（Ａ）の波形５０に示すように途中で発光を停
止して少ない光量になり、フル発光することがないから、光量制御の目的は達せ
られたことになる。
外付けストロボ９においては、この内蔵ストロボ２の本発光の光を前記と同様
にフォトトランジスタ３４からなる光検出センサー１０で検出し、トランジスタ
３７が図４の（Ｂ）の波形５２のようにＯＮし、放電管２６が図４の（Ｆ）の波
形５８に示すように発光する。このときは前記説明のように第１プレ発光用信号
回路３９と第２プレ発光用信号回路３３は動作せず、信号も出ない。
【００３７】
従って切り替えスイッチ２９がオート側になっている場合、オート発光停止信
号発生回路４３が動作し、あらかじめ設定した適正露出になると発光停止信号を
出し、放電管２６は発光を停止し、一連の動作は終了する。図面で説明すると、
図４の（Ｆ）のタイミングＴ１２で発光を開始して、タイミングＴ１３で発光を
停止する。
切り替えスイッチ２９がマニュアル側になっている場合も上記と同様、設定値
になった時に放電管２６は発光を停止し、一連の動作は終了する。
尚、本発明において各動作のタイミングにズレがあっても、写真の写りに影響
が無ければ良いことになり、従来から多少のズレは問題無いことが確認されてい
る。
従って同調、同期、同時の意味も一定の幅があって上記のように前後のズレを
許容されるものであり、また、タイミング図も完全に合っている部分から前後の
ズレも含まれるものとする。
一例として、プレ発光は少ない光量のため、閃光時間としては非常に短くて約
２０μＳ（マイクロセカンド）から５０μＳとなる。このため内蔵ストロボのプ
レ発光が停止した後から外付けストロボのプレ発光を開始させても間に合うこと
になり、この位のズレは問題ないのである。
外付けストロボの発光動作は内蔵ストロボのプレ発光の発光停止信号をトリガ
ーにしても間に合うことになる。この動作を人の目で見て判断すれば当然同時と
なる。
尚、外付けストロボの動作に関して内蔵ストロボの光をトリガーとして動作し
ている場合、発光は当然遅れる動作となる。
【００３８】
【実施例】  本発明を図面に基づいてさらに具体的に説明する。図５は図３
のブロック図をさらに明細にしたものであり、公知部分は省略し本発明部分のみ
になっている。
Ａ５は図３のゲート電圧発生回路１９に接続されている。Ｂ５は図３のメイン
コンデンサ２２に接続されている。Ｇ１、Ｇ２はグランドであり、電池１８のマ
イナス部分に接続されている。プラス回路Ｃ５は電池１８のプラス部分に接続さ
れている。
図５の回路は図３のブロック図と対応しているので、同じ部分は図３に関連し
て既に説明した通りであり、重ねての説明は省略する。
タイマー回路６７は、図３のタイマー回路３６に対応する実施例の１つであり
、発光開始信号によりトランジスタ６６がＯＮするとタイマー回路６７のコンデ
ンサに電荷が充電され、これによりタイマーが動作する。
第２プレ発光用信号回路３３に対応する部分は、トランジスタ６４部分とコン
デンサ６５部分であり、タイマーが必要な場合はコンデンサ６５を追加すること
により可能となる。
前記のようにこの部分のタイマーにおいても他の方法で動作可能である。また
、トランジスタ６４の回路の接続方法も前記の様に色々あるが、図５では積分回
路に接続されている。
【００３９】
この積分回路の値があらかじめ設定された値になると、トランジスタ６３，６
２，６１がそれぞれＯＮになり、そのためＩＧＢＴ素子２７がＯＦＦになり、放
電管２６は発光を停止する。
前記の説明のように積分回路が不要の場合は、トランジスタ６４のコレクタ側
出力をトランジスタ６１のベース回路に接続することで可能になる。
切り替えスイッチ２９がオート側になっていると、オート発光停止信号発生回
路４３から信号が来たとき、トランジスタ６０がＯＮし、トランジスタ５９もＯ
Ｎし、そのためＩＧＢＴ素子２７がＯＦＦになり、放電管２６は発光を停止する
。
【００４０】
ここで下記のような現象が発生する。
オート発光停止信号発生回路４３は内蔵ストロボのプレ発光時と本発光時の両
方で動作することになる。
そこでプレ発光時、被写体までの距離がかなり近くて（例えば０．５ｍ）、絞
りの設定値をＦ２位に明るくした場合、プレ発光用信号回路で設定した光量に
なる前に、オート発光停止信号発生回路４３はさらに少ない光量で所定値に達し
てしまい、発光停止信号を発生し、放電管２６は発光を停止してしまう。従って
、外付けストロボ９のプレ発光の光量が設定値よりも少なくなってしまう。
しかしこの現象が起きても実際は上記のように距離がかなり近く、絞りの設定
値もＦ２位に明るいため、プレ発光時の被写体からの反射光が多少少なくなって
も、反射光が被写体から返って来ていれば、デジタルカメラ１側の本発光の光量
は少なくなり、フル発光になることはほとんどない。
このためこの対策は実施しなくてもさして問題はないが、悪い撮影条件が重な
った時等で上記のような問題が起きた場合、簡単な回路を付け加えることでこれ
を解決できる。
【００４１】
この動作原理としては、内蔵ストロボのプレ発光と同調して発光する外付けス
トロボのオート発光停止信号発生回路４３またはオート側発光制御回路２８の動
作を、プレ発光時だけ停止させればよい。図６にその実施例を示す。追加された
インヒビット回路以外は図３と同様である。
プレ発光時のオート発光停止信号発生回路４３の動作を停止させるためには、
第１インヒビット回路８９を追加する。このように回路構成すると、第１プレ発
光用信号回路３９から発生する信号を受けて、第１インヒビット回路８９がＯＮ
になり、オート発光停止信号発生回路４３の動作は停止することになる。
もう一つは、第２インヒビット回路８６を配線８７でオート側発光制御回路２
８側に付けることで、プレ発光時のオート側発光制御回路２８の動作を停止させ
ることであり、どちらを実施しても問題は解決される。
【００４２】
次に図３に示す第１プレ発光用信号回路３９とは別の原理で動作する実施例を図
７、図８に示す。
これは内蔵ストロボのプレ発光時の発光停止タイミングと外付けストロボの発
光停止タイミングが同じになるようにしたものであり、２回目の本発光に関して
は前記と同様である。
図７は上記のような新規の動作部分のみを示していて、他の部分は図３と同様
であるので、重ねての説明は省略する。
図７のＡ６は電池のプラスまたは同等電位に接続する。Ｂ６は図３のオート側
発光制御回路２８に接続する。Ｃ６は図３のトリガー回路２４に接続する。Ｇ６
はグランドであり、電池のマイナスまたは同等電位に接続する。
図７、図８で動作を説明すると、図８の（Ａ）は内蔵ストロボの発光曲線を示
し、最初のプレ発光が波形７６となる。
その信号はコンデンサ６８により微分されて図８の（Ｂ）に示すようになる。
この微分信号７８を交流増幅回路６９で増幅してトランジスタ７０に印加すると
、このトランジスタ７０はベースがプラスの時だけＯＮするので、図８の（Ｃ）
に示す波形８０になり、この信号は発光停止信号となり、オート側発光制御回路
２８を介してＩＧＢＴ素子２７に印加され、図８の（Ｃ）のＴ１４と図８の（Ｆ
）のＴ１５のタイミングで放電管２６は発光を停止する。
【００４３】
トランジスタ７０の前か後に動作を遅らせるタイマーまたは同等回路を追加す
ると、前記Ｔ１５の発光停止タイミングを延ばすことができるため、プレ発光の
光量は状況に応じて調整可能である。
図８の（Ｅ）はトランジスタ７５の動作を示すものであり、内蔵ストロボの発
光動作７６，７７に同調してONしてトリガー回路２３が動作し、外付けストロ
ボが図８の（Ｆ）に示す波形８４，８５のように発光する。
タイマー回路７１、積分コンデンサ７２、トランジスタ７３、トランジスタ７
４を含む回路は、２回目の本発光の時にトランジスタ７０が動作することを防ぐ
インヒビット回路である。この回路がないと、内蔵ストロボの２回目の発光停止
（図８の（Ａ）の７７）に同期したパルス信号（図８の（Ｂ）の７９）がトラン
ジスタ７０に印加して、外付けストロボは発光を停止してしまう。
このインヒビット回路は、初めのプレ発光の時はタイマー回路７１と積分コン
デンサ７２の動作により、トランジスタ７４が図８の（Ｃ）に示すタイミングＴ
１４でONしないようになっている。
その後、２回目の本発光の時にトランジスタ７３と７４はＯＮになり、図８の
（Ｄ）に示す信号８１がトランジスタ７０のベースに印加され、トランジスタ７
０は不動作となる。
【００４４】
このため外付けストロボは、内蔵ストロボの２回目の本発光の発光停止には影
響されなくなる。
また、内蔵ストロボのプレ発光の回数が１回ではなく、２回、３回と多いもの
でも、上記インヒビット回路のタイミングを合わせれば同調可能となる。本回路
では外付けストロボのプレ発光の発光停止は、内蔵ストロボの発光停止とほとん
ど同時にできるので、制御がやり易くなる。
このように外付けストロボのプレ発光の発光停止信号の作り方は別方法である
が、前記回路と同様な効果がある。
【００４５】
さらに図３に示す第１プレ発光用信号回路３９とは別の原理で動作する実施例を
図９に示す。この実施例は、請求項１の方法発明及び請求項３の装置発明に係る
ものである。
これはプレ発光用に第２のメインコンデンサを設けたものであり、図面では放
電管も別になっているが、これは動作を分かりやすくしたためであり、下記のよ
うに数量を限定するものではない。
次に図９の回路の接続と動作を説明する。図３の回路と同じ動作の部分は同番
号で示し重ねての説明は省略する。
Ｇ７はグランドで電池のマイナス回路へ接続されている。Ａ７はＤＣ−ＤＣコ
ンバータ２０に接続されている。Ｄ７はオート側発光制御回路とマニュアル側発
光制御回路に接続されていて、本回路では図３に示す第１プレ発光用信号回路３
９、第２プレ発光用信号回路３３は不要となる。
Ｂ７はトランジスタ３７に接続されている。Ｃ７は前記した公知のプレ発光キ
ャンセル回路を介して本発光時のみ動作するようになっている。
【００４６】
まずＤＣ−ＤＣコンバータ２０から別の整流ダイオード９０を介して第２メイ
ンコンデンサ９１に電力(電気量)が充電される。この第２メインコンデンサ９１
の容量は第１メインコンデンサ２２に比べ１／５から１／１０と小さくなってい
て、その分少ない光量となる。この容量を増減することによりプレ発光の光量を
調節することが可能である。
最初Ｂ７端子には内蔵ストロボがプレ発光したときの信号が来て、第２トリガ
ー回路９２が動作して放電管９３が発光する。その後、内蔵ストロボが本発光し
たときの信号が来るが、第２メインコンデンサ９１の電力は既に上記プレ発光の
時に使い切っていてほとんど残っていないので、放電管９３は発光しない。
【００４７】
トリガー回路２４の方はＣ７端子から本発光時のみ信号が来て動作し、放電管
２６が発光を開始する。Ｃ７の信号はプレ発光時は発生しないようになっていて
、この信号はタイマー回路と積分回路を組み合わせて作ったり、カウンター回路
等のデジタル回路で作ることができ、これらは公知の回路である。
その後、前記のようにＤ７端子に発光停止信号が来て、ＩＧＢＴ素子がＯＦＦ
になり発光を停止する。
このように放電管２本を使用すると、それぞれの放電管は別の場所に設けるこ
とができ、例えばカメラの近くにプレ発光の放電管、それより離れた所に本発光
の放電管を設けることができる。
図９では放電管を２本使用しているが、放電管２６のみ使用することも可能で
あり、第２トリガー回路９２も不要となる。その代わり干渉しないようにするた
め、プレ発光時に第１メインコンデンサ２２の回路を切断する公知のスイッチン
グ回路が必要になる。または本発光時に第１メインコンデンサ２２の回路を接続
する公知の回路が必要になる。
このようにプレ発光の回路方式が異なっても、プレ発光と本発光の光量比率は
前記の図３の別回路と同等にすることができ、効果も同様になる。
【００４８】
【発明の効果】  以上のように本発明の方法及び装置によれば、外付けスト
ロボをデジタルカメラの内蔵ストロボと同調発光させて撮影するとき、内蔵スト
ロボのプレ発光をトリガーとして外付けストロボをプレ発光させ、被写体から返
された外付けストロボのプレ発光の反射光に基づいて内蔵ストロボの本発光時の
光量を制御するため、内蔵ストロボの本発光時の光量を少ないものとすることが
でき、これによって、次の撮影のためになされる内蔵ストロボのコンデンサの充
電時間が従来品よりも短くなるため、次の撮影までの待ち時間が短くなり、シャ
ッターチャンスを失うことがない。また、デジタルカメラの電池の寿命も長くな
り、頻繁に電池交換する必要がないなどの実用的効果がある。
【００４９】
また、本発明の方法及び装置では、外付けストロボのプレ発光時の動作を、外
付けストロボの本発光時に差し支えが生じないように、メインコンデンサに本発
光時のための電力を残して行なわれるように制御するため、外付けストロボの本
発光が必要十分な適正光量でなされることになり、被写体との距離に影響されず
に品質の高い撮影を行なうことができる。
【００５０】
また、本発明の別の方法及び装置では、第２メインコンデンサに接続されてい
る放電管によって外付けストロボのプレ発光を行ない、第１メインコンデンサに
接続されている放電管によって外付けストロボの本発光を行ない、外付けストロ
ボの本発光が所定光量にて停止するように制御するため、外付けストロボの本発
光が必要十分な適正光量でなされることになり、被写体との距離に影響されずに
品質の高い撮影を行なうことができる。
【図面の簡単な説明】
【図１】  従来技術及び本発明におけるデジタルカメラと外付けストロボの
接続状態を説明する概要図である。
【図２】  従来技術及び本発明におけるデジタルカメラのシャッター動作と
内蔵ストロボ及び外付けストロボの発光動作を説明するタイミングチャート図と
波形図である。
【図３】  本発明の回路構成を示すブロック図（一部明細回路図）である。
【図４】  図３の回路構成におけるタイミングチャート図と波形図である。
【図５】  図３に示した回路構成の特定部分の実施例を示す明細な回路図で
ある。
【図６】  図３に示した回路構成に一部新機能を追加したものである。
【図７】  本発明の回路構成の別の実施例を示し、図３のものとは一部別の
動作をする。
【図８】  図７の回路構成におけるタイミングチャート図と波形図である。
【図９】  本発明の別の実施例における回路構成の要部を示すブロック図（
一部明細回路図）である。
【符号の説明】
１  デジタルカメラ
２  内蔵ストロボ
３  カメラのレンズ
４  防水カメラハウジング
５  拡散板
６  黒い遮光板
７  外枠
８  光ファイバー
９  外付けストロボ
１０  光検出用センサー
１８  電池
１９  ゲート電圧発生回路
２０  ＤＣ−ＤＣコンバータ
２２  メインコンデンサ
２４  トリガー回路
２６  放電管
２７  ＩＧＢＴ素子
２８  オート側発光制御回路
２９  切り替えスイッチ
３０  マニュアル側発光制御回路
３１  積分回路
３３  第２プレ発光用信号回路
３４  光検出用センサー
３６  タイマー回路
３８  微分回路
３９  第１プレ発光用信号回路
４３  オート発光停止信号発生回路